(57)【要約】【課題】保冷体等の補助物品を包装用箱内に収容し保持する補助収容部を必要な場合に設けることができ、かつ補助収容部を大きく設けることができる包装用箱の提供。【解決手段】底板２１と、底板２１に対して起立する一対の第一側板２２及び第二側板２３と、第一側板２２に連設されるとともに第二側板２３の内側に配置され底板に対して起立する補助側板２６とを備え、上部に開口部が形成される包装用箱であって、第二側板２３には、前側の第一側板２２の端縁にフラップ１８が連設され、フラップ１８は、第二側板２３に連設される仕切部８１と、仕切部８１に連設される係止部８２と、を有し、補助側板２６は、係止部８２が係合及び離脱する係合部２７が形成され、係止部８２と係合部２７とが係合することで、仕切部８１と補助側板２６及び第二側板２３とで成す空間である補助収容部が形成される。【選択図】図１
0003175973.tif 000002
【実用新案登録請求の範囲】
【請求項１】
底板と、当該底板に対して起立する一対の第一側板と、当該第一側板に隣接するとともに前記底板に対して起立する一対の第二側板と、前記第一側板の一方に連設されるとともに前記第二側板の内側に配置され前記底板に対して起立する一対の補助側板と、を備え、少なくとも上部に開口部が形成される包装用箱であって、
前記第二側板の少なくとも一方には、前記第一側板の他方側の端縁にフラップが連設され、
当該フラップは、
前記第二側板に連設される仕切部と、
当該仕切部に連設される係止部と、を有し、
前記補助側板は、前記係止部が係合及び離脱する係合部が形成され、
前記係止部と前記係合部とが係合することで、前記仕切部と、少なくとも補助側板及び第二側板とで成す空間である補助収容部が形成されることを特徴とする包装用箱。
【請求項２】
前記補助収容部は、
前記仕切部が、前記第二側板の内側と対向する位置に設けられ、
前記係止部が、前記仕切部と対向する位置に設けられ、ることで形成されることを特徴とする請求項１に記載の包装用箱。
【請求項３】
前記仕切部は、前記第二側板と第一縁板を介して連設されることを特徴とする請求項１又は請求項２に記載の包装用箱。
【請求項４】
前記係合部は、前記仕切部と第二縁板を介して連設されることを特徴とする請求項１から請求項３のいずれか一項に記載の包装用箱。
【請求項５】
前記補助側板には、前記第二側板と貼着される固着領域と、前記第二側板と貼着されず隙間を有する非固着領域とが形成され、
前記係合部は、前記非固着領域に形成されることを特徴とする請求項１から請求項４のいずれか一項に記載の包装用箱。
【請求項６】
前記一対の第一側板に連設され、前記開口部を閉鎖する一対の蓋板と、
当該各蓋板に対して起立し、重ね合わされて把持部を形成する一対の把手板と、
前記第二側板又は前記補助側板に連設され、前記各把手板の両端部を保持することで、前記蓋板が前記開口部を閉鎖する状態を保持し、前記各把手板の両端部の保持を解除することで、前記蓋板の開封を可能な状態とする保持板と、で構成される天部を有し、
前記保持板は、
前記補助側板に連設し前記各把手板の両端部が係合及び離脱する第一係合部を有する第一保持板と、
前記第二側板に連設し前記各把手板の両端部が係合及び離脱する第二係合部を有する第二保持板と、で形成され、
前記第一保持板と前記第二保持板が係合されることを特徴とする請求項１から請求項５のいずれか一項に記載の包装用箱。
【請求項７】
前記係合部は、補助側板の前記開口部側の近傍に配置されることを特徴とする請求項１から請求項６のいずれか一項に記載の包装用箱。
【考案の詳細な説明】
【技術分野】
【０００１】
本考案は、包装用箱の構造に関し、より詳細には、保冷体、キャンドル、ナフキンなどの補助備品を収容する補助収容部の構造に関する。
【背景技術】
【０００２】
従来、ケーキ等の物品を収容する包装用箱にあっては、ケーキ等を低温に保つために、アイスパック（水や保冷剤をビニールシート等で密封包装したパック状のものを凍らせたもの）やドライアイス等の保冷体をケーキ等と一緒に包装用箱に収容することが行われている。また、保冷体の他にキャンドル、ナフキン、ケーキカッター等を包装用箱に収容する場合もある。
【０００３】
例えば、特許文献１に示すように、紙箱（包装用箱）内に紙箱と一体の折り曲げ自在な仕切片を設け、この仕切片を折り曲げることで、ドライアイスが必要な場合、紙箱内の隅部にドライアイス収容部を形成している。
【０００４】
しかしながら、上記特許文献１に記載の包装用箱では、ドライアイス収容部にあたる収容部は、コーナー部にしか設けることができず、収容部のスペースを広く設けることができない。
【先行技術文献】
【特許文献】
【０００５】
【特許文献１】実公平６−２１９０８号公報
【考案の概要】
【考案が解決しようとする課題】
【０００６】
本考案は、上記課題を解決すべくなされたものである。本考案の目的は、保冷体等の補助物品を包装用箱内に収容し保持する補助収容部を必要な場合に設けることができ、かつ補助収容部を大きく設けることができる包装用箱の提供である。
【課題を解決するための手段】
【０００７】
本考案の解決しようとする課題は以上の如くであり、次にこの課題を解決するための手段を説明する。
【０００８】
即ち、請求項１においては、底板と、当該底板に対して起立する一対の第一側板と、当該第一側板に隣接するとともに前記底板に対して起立する一対の第二側板と、前記第一側板の一方に連設されるとともに前記第二側板の内側に配置され前記底板に対して起立する一対の補助側板と、を備え、少なくとも上部に開口部が形成される包装用箱であって、前記第二側板の少なくとも一方には、前記第一側板の他方側の端縁にフラップが連設され、当該フラップは、前記第二側板に連設される仕切部と、当該仕切部に連設される係止部と、を有し、前記補助側板は、前記係止部が係合及び離脱する係合部が形成され、前記係止部と前記係合部とが係合することで、前記仕切部と、少なくとも補助側板及び第二側板とで成す空間である補助収容部が形成されるものである。
【０００９】
請求項２においては、前記補助収容部は、前記仕切部が、前記第二側板の内側と対向する位置に設けられ、前記係止部が、前記仕切部と対向する位置に設けられ、ることで形成されるものである。
【００１０】
請求項３においては、前記仕切部は、前記第二側板と第一縁板を介して連設されるものである。
【００１１】
請求項４においては、前記係合部は、前記仕切部と第二縁板を介して連設されるものである。
【００１２】
請求項５においては、前記補助側板には、前記第二側板と貼着される固着領域と、前記第二側板と貼着されず隙間を有する非固着領域とが形成され、前記係合部は、前記非固着領域に形成されるものである。
【００１３】
請求項６においては、前記一対の第一側板に連設され、前記開口部を閉鎖する一対の蓋板と、当該各蓋板に対して起立し、重ね合わされて把持部を形成する一対の把手板と、前記第二側板又は前記補助側板に連設され、前記各把手板の両端部を保持することで、前記蓋板が前記開口部を閉鎖する状態を保持し、前記各把手板の両端部の保持を解除することで、前記蓋板の開封を可能な状態とする保持板と、で構成される天部を有し、前記保持板は、前記補助側板に連設し前記各把手板の両端部が係合及び離脱する第一係合部を有する第一保持板と、前記第二側板に連設し前記各把手板の両端部が係合及び離脱する第二係合部を有する第二保持板と、で形成され、前記第一保持板と前記第二保持板が係合されるものである。
【００１４】
請求項７においては、前記係合部は、補助側板の前記開口部側の近傍に配置されるものである。
【考案の効果】
【００１５】
本考案の効果として、以下に示すような効果を奏する。
【００１６】
請求項１においては、フラップが仕切部と係止部を有しているので、必要なときに、フラップに形成した係止部と補助側板に形成した係合部を係止して補助収容部を形成することができる。また、仕切部と、補助側板及び第二側板との間に補助収容部を形成しているので、補助収容部の収容空間を大きく設けることができる。
【００１７】
請求項２においては、請求項１の効果に加え、仕切部が第二側板の内側と対向する位置に設けられ、係止部が前記仕切部と対向する位置に設けられて、補助収容部が形成されているので、第二側板の幅方向いっぱいに渡って、仕切部を設けることができ、補助収容部の収容空間を大きく設けることができる。
【００１８】
請求項３においては、請求項１及び請求項２の効果に加え、仕切部が第二側板と第一縁板を介して連設されるため、第一縁板の幅分だけ補助収容部の収容空間を大きく設けることができる。
【００１９】
請求項４においては、請求項１から請求項３の効果に加え、係合部が仕切部と第二縁板を介して連設されるため、第二縁板の幅分だけ補助収容部の収容空間を大きく設けることができる。
【００２０】
請求項５においては、請求項１から請求項４の効果に加え、第二側板と補助側板が固着領域で貼着されているので、底板に対する第一側板の一方と一対の第二側板と一対の補助側板の底板に対する起立を保持することができるため、補助収容部の組み立てが容易となる。また、係合部を非固着領域に設けているので、第二側板と補助側板との間に係止部を差し込んで係止することができる。
【００２１】
請求項６においては、請求項１から請求項５の効果に加え、第一係合部と第二保持板、又は第二係合部と第一保持板が係合されることで、第二側板と補助側板との固着作業が不要である。さらに、フラップに形成した係止部と補助側板に形成した係合部を係止して補助収容部を形成した場合には、箱の起立保持はより強固となる。
【００２２】
請求項７においては、請求項１から請求項６の効果に加え、補助側板に形成される係合部が補助側板の開口部側近傍に位置するため、フラップに形成した係止部との係合作業が容易となる。
【図面の簡単な説明】
【００２３】
【図１】本考案の第一実施形態に係る補助収容部が形成された包装用箱の状態を示す斜視簡略図。
【図２】展開形成体の包装用箱１１の平面図。
【図３】補助側板２５・２６と第二側板２３を折畳む過程を示す平面図。
【図４】半完成状態の包装用箱１１を示す平面図。
【図５】底板２１に対して後側の第一側板２２、第二側板２３・２３、補助側板２５・２５が起立した状態を示す斜視簡略図。
【図６】係止部８２が仕切部８１側へと折り曲げられた状態を示す斜視簡略図。
【図７】底板２１に対して前側の第一側板２２が起立した状態を示す斜視簡略図。
【図８】完成状態の包装用箱１１を示す斜視簡略図。
【図９】補助収容部が形成されない組み立ての状態を示す斜視簡略図。
【図１０】本考案の第二実施形態に係る展開形成体の包装用箱１１１の平面図。
【図１１】底板２１に対して後側の第一側板１２２、第二側板１２３・１２３、補助側板１２６・１２６が起立した状態を示す斜視簡略図。
【図１２】第一保持板７３と第二係合部２７２が係合した状態を示す斜視簡略図。
【図１３】（Ａ）係止部１８２が第二縁板８７に対して折り曲げられた状態を示す部分斜視簡略図、（Ｂ）第二縁板８７が仕切部１８１に対して折り曲げられた状態を示す部分斜視簡略図。
【図１４】（Ａ）第一縁板８４が第二側板１２３に対して折り曲げられた状態を示す部分斜視簡略図、（Ｂ）補助収容部が形成された状態を示す部分斜視簡略図。
【図１５】左右の補助収容部が形成された包装用箱１１１の状態を示す斜視簡略図。
【図１６】底板１２１に対して前側の第一側板１２２が起立した状態を示す斜視簡略図。
【図１７】完成状態の包装用箱１１１を示す斜視簡略図。
【考案を実施するための形態】
【００２４】
次に、考案の実施の形態について図を用いて説明する。
【００２５】
［第一実施形態］
本考案の第一実施形態に係る包装用箱１１について説明する。
【００２６】
本実施形態に係る包装用箱１１は、図１に示すように、包装用箱１１の内部に保冷体等の物品を保持して収容するための補助収容部が形成できる紙箱である。包装用箱１１は、図２に示す箱展開形成体を組み立てて形成される。包装用箱１１は、板紙、段ボール等の厚紙で形成されて、菓子等の物品を収容する。包装用箱１１は、厚紙の他、樹脂素材を用いた板状部材等で形成されてもよい。
【００２７】
以下では、説明を容易におこなうため、図１での図示右下側を前方とし、左上側を後方とする。また、上下方向は、包装用箱１１を組み立てて、底板２１を下にして載置した状態で、底板２１側を下方とする。また、展開形成体の包装用箱１１の左右対称に現れる箇所は、右側を主として説明をする。尚、第一実施形態の包装用箱１１の平面形状は長方形であるが、正方形等の他の形状に変更してもよい。
【００２８】
図２に示す展開形成体の包装用箱１１に従って、包装用箱１１の箱本体１２を構成する部分を説明する。図２は、包装用箱１１の内側となる面を紙面手前側として示している。
【００２９】
底板２１は、包装用箱１１の底部を構成する部分であり、長方形に形成される。底板２１の前後端縁（図示上下端縁）には、箱本体１２の前後の側板を構成する一対の第一側板２２・２２が、折目線４１・４１を介してそれぞれ連設される。底板２１の左右端縁には、箱本体１２の左右の側板を構成する一対の第二側板２３・２３が、折目線４２・４２を介してそれぞれ連設される。
【００３０】
さらに、後側の第一側板２２の左端縁には、補助側板２５が折目線４４を介して連設される。後側の第一側板２２の右端縁には、補助側板２６が折目線４４を介して連設される。補助側板２５・２６の下端縁となる端縁には、前側となる側に係止片２５ａ・２６ａが下方に突出するように形成される。一方、折目線４２上には、包装用箱１１が組み立てられた際に、係止片２５ａ・２６ａを差し込むための切れ目である起立係止孔４２ａ・４２ａが形成される。補助側板２６には、後述する係止部８２と係合する係合部２７が形成される。
【００３１】
係合部２７は、補助側板２６の上端縁から下側に向う切込によって形成される。また、係合部２７は、包装用箱１１が組み立てられた場合に、第二側板２３の後側に位置するように形成される。
【００３２】
第二側板２３には、第二側板２３を略二等分する折畳用折目線４５が形成される。この折畳用折目線４５は、底板２１の後角から後述する保持板７１の開放（自由）端部にかけて形成される。
【００３３】
左側の第二側板２３の前端縁には、折目線４３ａを介して前フラップ２４が連設される。右側の第二側板２３の前端縁には、折目線４３ｂを介してフラップ１８の仕切部８１が連設される。
【００３４】
第一実施形態のフラップ１８は、第二側板２３に連設する仕切部８１と、当該仕切部８１に連設する係止部８２と、によって構成される。仕切部８１は、右側の第二側板２３の前端縁に連設される。仕切部８１の前後長さである幅は、第二側板２３の前後長さよりも長くなるように形成される。仕切部８１には、複数の通気孔８３・８３・８３・８３が形成される。係止部８２は、仕切部８１の後端となる端部（図中下端）に折目線８９を介して連設される。係止部８２には、前述の係合部２７と係合可能となる係止片８２ａが形成される。この係止片８２ａは、係止部８２の前部の上側（図中下部の箱中央側）に形成され、係止部８２全体として下方となる方に突出するフック状に形成される。
【００３５】
次に、包装用箱１１の天部を構成する部分を説明する。
【００３６】
天部は、箱本体１２の上部の開口部を閉塞するとともに、包装用箱１１の持ち運びを容易にするための部分である。
【００３７】
蓋板３１・３１は、第一側板２２・２２の上端縁となる端縁に、蓋板折目線５１・５１を介してそれぞれ連設される。蓋板３１の蓋板折目線５１に対向する端縁には、把手板６１が、把手板折目線５２を介して連設される。
【００３８】
把手板折目線５２・５２は、左右途中で分断されており、分断された箇所には蓋板３１・３１から蓋板片３１ａ・３１ａが延設される。蓋板片３１ａ・３１ａは、前記把手板折目線５２・５２よりも前記把手板６１・６１側に突出するように切り込んだ切れ目により形成される。従って、把手板折目線５２・５２及び蓋板片３１ａ・３１ａを介して、把手板６１は、その上側が把持部となるように形成される。
【００３９】
さらに、把手板６１の両端部には、外側へと突出する係合片６２・６２が配置される。係合片６２は、把手板６１の中央に対して左右対称に配置され、把手板６１は前後一対（図示上下一対）となって形成される。
【００４０】
一方、保持板７１は、第二側板２３の上端縁となる端縁に、折目線５３を介して連設される左右一対の部分である。保持板７１には、折目線５３から上下中途部にかけ開孔された係合部７２が形成される。
【００４１】
次に、包装用箱１１を展開形成体から半完成状態まで組み立てる場合について説明する。
【００４２】
図２に示す展開形成体の状態から図３に示すように、折目線４４・４４を谷折することで、補助側板２５・２６は、後側の第一側板２２に重なるように折畳まれる。そして、左側の折目線４２を谷折することで、左側の第二側板２３は底板２１に重なるように折畳まれる。そして、折畳用折目線４５を山折りすることで、左側の第二側板２３の外側同士が重なるように折畳まれる。同様に右側の第二側板２３も、折目線４２を谷折することで、底板２１に重なるように折畳まれる。さらに、折畳用折目線４５を山折りすることで、右側の第二側板２３の外面同士が重なるように折畳まれ、図３に示す状態となる。
【００４３】
続いて、折目線４１を谷折することで、後側の第一側板２２は底板２１側に折畳まれる。従って、後側の第一側板２２へと折畳まれた補助側板２５・２６は、底板２１へと折畳まれた第二側板２３の内面に重なるように配置される。第二側板２３・２３と補助側板２５・２６の接触する部分には、側板固定部４７・４８が形成される。左側の第二側板２３と補助側板２５との間に配置される側板固定部４７は、折畳用折目線４５よりも後側となる位置に配置される。その側板固定部４７・４８に接着剤等の固着手段を付することで、第二側板２３と補助側板２６とは貼着固定され、包装用箱１１は、図４に示す半完成状態とされる。
【００４４】
ここで、右側の第二側板２３と補助側板２６との間に配置される側板固定部４８は、折畳用折目線４５よりも後側に配置されるとともに、係合部２７から所定の範囲をあけて配置される。つまり、補助側板２６には、側板固定部４８によって第二側板２３と貼着する固着領域が形成され、第二側板２３と貼着されず隙間を有する非固着領域４９とが形成される。そして、係合部２７は、非固着領域４９（図５参照）に形成される。
【００４５】
次に、折畳まれた半完成状態の包装用箱１１を完成体まで組み立てる手順について説明する。
【００４６】
先ず、底板２１に対して後側の第一側板２２、補助側板２５・２６及び第二側板２３・２３を起立させる。具体的には、底板２１を上方に向けた状態から、後側の第一側板２２を持ち上げて、底板２１に対して起立させることで、後側の第一側板２２と連設する補助側板２５・２６が底板２１に対して起立する。
【００４７】
補助側板２５・２６が底板２１に対して起立することにより、側板固定部４７・４８によって補助側板２５・２６と固定された第二側板２３・２３は、折畳まれた状態から図５に示す略同一平面となるように展開される。さらに、補助側板２５・２６の下端から突出する係止片２５ａ・２６ａが、起立係止孔４２ａ・４２ａに挿入されることで、後側の第一側板２２が底板２１側に倒伏することを阻止することができる。これら、側板固定部４７・４８による補助側板２５・２６と第二側板２３・２３の固定、及び係止片２５ａ・２６ａの起立係止孔への挿入によって、底板２１に対する三側板（後側の第一側板２２、補助側板２５・２６、及び第二側板２３・２３）の起立は保持される。
【００４８】
次に、保冷体９０等の物品を収容するための補助収容部の組み立てが必要な場合の手順について説明する。
【００４９】
先ず、図５に示す状態から図６に示す状態となるように、折目線８９を谷折りすることで、係止部８２が仕切部８１に重なるように折り曲げられる。そして、折目線４３ｂを谷折りすることで、仕切部８１を箱本体１２の内側へと折り曲げる。さらに、図１に示す状態となるように、補助側板２６と第二側板２３との隙間である非固着領域４９（図６参照）に係止部８２の係止片８２ａを挿入し、補助側板２６の係合部２７と係止部８２の係止片８２ａを互いに差込む。すると、フラップ１８は補助側板２６に連設され、仕切部８１と、補助側板２６及び第二側板２３とで成す空間には、補助収容部が形成される。
【００５０】
この補助収容部へと、保冷体９０やキャンドル等の物品を収容する。また、仕切部８１に形成された通気孔８３は、物品が保冷体９０の場合、補助収容部からケーキなどが収容される箱本体１２側へと冷気を連通させやすくするためのものである。
【００５１】
補助収容部に保冷体９０などの物品を収容したあとで、この包装用箱１１の前部及び上部の開放部から、ケーキ等の物品を箱本体１２内に収容する（図示省略）。さらに、図１に示すように、折目線４３ａを谷折りして前フラップ２４を箱本体１２の内側へと折り曲げる。そして、折目線４１を谷折りすることで、前側の第一側板２２は、底板２１に対して起立され、図７に示す状態となる。
【００５２】
次に、天部を組み立てる場合について説明する。
【００５３】
先ず、蓋板折目線５１・５１を谷折して、さらに把手板折目線５２・５２を山折りして、前後の把手板６１・６１の内面が互いに接触するように重ね合せる。その際、前後どちらか一方の蓋板片３１ａの内面は、前後どちらか他方の蓋板３１の外面と接触するように重ね合わされる。前後どちらか他方の蓋板片３１ａの外面は、前後どちらか一方の蓋板３２の内面と接触するように重ね合わされる。蓋板片３１ａ・３１ａは把手板６１・６１から分離することで、その分離空間に持手部分が形成される。
【００５４】
続いて、折目線５３を谷折りし、保持板７１が把手板６１側へと折り曲げられ、保持板７１に形成された係合部７２へと係合片６２が挿入される。従って、図８に示すように、保持板７１によって、把手板６１・６１は、重ね合された状態を保持することができ、蓋板３１・３１に対して起立した状態を安定的に保持することができる。
【００５５】
また、本考案の第一実施形態に係る包装用箱１１は、図９に示すように、前述の補助収容部を形成せずに、包装用箱１１を組み立てることもできる。つまり、折目線４３ｂを谷折りすることで、第二側板２３に対して略直角にフラップ１８を折り曲げ、折目線４１を谷折りすることで、フラップ１８を第一側板２２の内側に配置することができる。
【００５６】
尚、第一実施形態の包装用箱１１の補助収容部は、包装用箱１１の右側にのみ形成することができる構成としているが、限定するものではなく、包装用箱１１の左右に形成してもよい。
【００５７】
本実施形態の包装用箱１１は、底板２１と、当該底板２１に対して起立する一対の第一側板２２・２２と、当該第一側板２２・２２に隣接するとともに前記底板２１に対して起立する一対の第二側板２３・２３と、前記第一側板２２・２２の一方（後側）に連設されるとともに前記第二側板２３・２３の内側に配置され前記底板２１に対して起立する一対の補助側板２５・２６と、を備え、少なくとも上部に開口部が形成される包装用箱であって、前記第二側板２３・２３の少なくとも一方には、前記第一側板２２の他方側（前側）の端縁にフラップ１８が連設され、当該フラップ１８は、前記第二側板２３に連設される仕切部８１と、当該仕切部８１に連設される係止部８２と、を有し、前記補助側板２６は、前記係止部８２が係合及び離脱する係合部２７が形成され、前記係止部８２と前記係合部２７とが係合することで、前記仕切部８１と、少なくとも前記補助側板２６及び前記第二側板２３とで成す空間である補助収容部が形成されるものである。
【００５８】
このように構成することにより、必要なときに、フラップ１８に形成した係止部８２と補助側板２６に形成した係合部２７を係止して補助収容部を形成することができる。また、仕切部８１と、補助側板２６及び第二側板２３との間に補助収容部を形成しているので、補助収容部の収容空間を大きく設けることができる。
【００５９】
前記補助収容部は、前記仕切部８１が、前記第二側板２３の内側と対向する位置に設けられ、前記係止部８２が、前記仕切部８１と対向する位置に設けられ、ることで形成されるものである。
【００６０】
このように構成することで、第二側板２３の幅方向（前後方向）いっぱいに渡って、仕切部８１を設けることができ、補助収容部の収容空間を大きく設けることができる。
【００６１】
前記補助側板２６には、前記第二側板２３と貼着される固着領域（側板固定部４８が付された箇所）と、前記第二側板と貼着されず隙間を有する非固着領域４９とが形成され、
前記係合部２７は、前記非固着領域４９に形成されるものである。
【００６２】
このように構成することで、底板に対する第一側板２２の一方（後側）と一対の第二側板２３・２３と一対の補助側板２５・２６の底板２１に対する起立を保持することができるため、補助収容部の組み立てが容易となる。また、係合部２７を非固着領域４９に設けているので、第二側板２３と補助側板２６との間に係止部８２（係止片８２ａ）を差し込んで係止することができる。
【００６３】
［第二実施形態］
本考案の第二実施形態に係る包装用箱１１１について説明する。
【００６４】
図１０に示す展開形成体の包装用箱１１１に従って、包装用箱１１１を構成する部分を説明する。図１０もまた、包装用箱１１１の内側となる面を紙面手前側として示している。
【００６５】
第二実施形態の包装用箱１１１は、仕切部１８１と係止部１８２に第一縁板８４及び第二縁板８７を加えて構成したフラップ１１８を有するものである。また、包装用箱１１１は、補助側板１２６と第二側板１２３とを貼着固定する貼着手段（第一実施形態における側板固定部４８）が付されていない箱である。
【００６６】
底板１２１は、包装用箱１１１の底部を構成する部分であり、長方形に形成される。底板１２１の前後端縁（図示上下端縁）には、箱本体１１２の前後の側板を構成する一対の第一側板１２２・１２２が、折目線１４１・１４１を介してそれぞれ連設される。底板１２１の左右端縁には、箱本体１１２の左右の側板を構成する一対の第二側板１２３・１２３が、折目線１４２・１４２を介してそれぞれ連設される。
【００６７】
さらに、後側の第一側板１２２の左右端縁には、補助側板１２６・１２６が折目線１４４・１４４を介して連設される。補助側板１２６の下端縁となる端縁には、前側となる側に係止片１２６ａが下方に突出するように形成される。一方、折目線１４２上には、包装用箱１１１が組み立てられた際に、係止片１２６ａを差し込むための切れ目である起立係止孔１４２ａが形成される。補助側板１２６には、後述する係止部１８２と係合する係合部１２７が形成される。
【００６８】
係合部１２７は、補助側板１２６の上端縁から下側に向う切込によって形成される。また、係合部１２７は、包装用箱１１１が組み立てられた場合に、補助側板１２６の後側に位置し、さらに補助側板１２６の箱本体１１２の開口部側の近傍に形成される。第二側板１２３の前端縁には、折目線１４３を介してフラップ１１８の一部を構成する第一縁板８４が連設される。
【００６９】
第二実施形態のフラップ１１８は、第一縁板８４と、仕切部１８１と、第二縁板８７と、係止部１８２によって構成される。仕切部１８１は、第二側板１２３と対向する第一縁板８４の端縁に折目線８５を介して連設される。仕切部１８１には、複数の開孔である通気孔１８３・１８３・１８３・１８３が形成される。仕切部１８１の前後長さは、第二側板１２３の前後長さと略同じとなるように形成される。尚、仕切部１８１の前後長さが、第二側板１２３の前後長さよりも若干長く形成されてもよい。第二縁板８７は、第一縁板８４と対向する仕切部１８１の端縁に、折目線８６を介して連設される。係止部１８２は、仕切部１８１と対向する第二縁板８７の端縁に折目線８８を介して連設される。係止部１８２には、前述の係合部１２７と係合可能となる係止片１８２ａが形成される。この係止片１８２ａは、係止部１８２の前部の上側（図中下部の箱中央側）に形成され、係合部１２７全体として下方となる方に突出するフック状に形成される。
【００７０】
次に、包装用箱１１１の天部を構成する部分を説明する。
【００７１】
天部は、箱本体１１２の上部の開口部を閉塞するとともに、包装用箱１１１の持ち運びを容易にするための部分である。天部は、蓋板１３１・１３１と把手板１６１・１６１と保持板とによって構成される。
【００７２】
蓋板１３１・１３１は、第一側板１２２・１２２の上端縁となる端縁に、蓋板折目線１５１・１５１を介してそれぞれ連設される。蓋板１３１の蓋板折目線１５１に対向する端縁には、把手板１６１が、把手板折目線１５２を介して連設される。
【００７３】
把手板折目線１５２・１５２は、左右途中で分断されており、分断された箇所には蓋板１３１・１３１から蓋板片１３１ａ・１３１ａが延設される。蓋板片１３１ａ・１３１ａは、前記把手板折目線１５２・１５２よりも前記把手板１６１・１６１側に突出するように切り込んだ切れ目により形成される。
【００７４】
さらに、把手板１６１の両端部は、外側へと突出する第一係合片６３・６３及び第二係合片６４・６４が配置される。第一係合片６３・６３及び第二係合片６４・６４は、把手板１６１の中央に対して左右対称に配置され、把手板１６１は前後一対（図示上下一対）となって形成される。
【００７５】
保持板は、第一保持板７３・７３と第二保持板２７１・２７１とによって構成される。第一保持板７３は、補助側板１２６の上端縁となる端縁に折目線５４を介して連設される左右一対の部分である。第一保持板７３には、第一係合片６３が係合及び離脱する開孔である第一係合部７４が形成される。
【００７６】
第二保持板２７１は、第二側板１２３の上端となる端縁に折目線２５３・２５３を介して連設される。第二保持板２７１には、第二係合片６４が係合及び離脱する開孔である第二係合部２７２が形成される。この第二係合部２７２は、第一保持板７３が挿入可能な大きさの開孔で形成される。第二係合部２７２の内側の周縁には、折目線７５を介して開孔側へと突出する凸片７６が形成される。
【００７７】
次に、展開形成体の包装用箱１１１を完成体まで組み立てる手順について説明する。
【００７８】
先ず、図１０に示す状態から図１１に示す状態となるように、底板１２１に対して後側の第一側板１２２、補助側板１２６・１２６及び第二側板１２３・１２３を起立させる。具体的には、折目線１４４・１４４を谷折りすることで、補助側板１２６・１２６が後側の第一側板１２２に対して略垂直に折り曲げられる。そして、折目線１４１を谷折りすることで、後側の第一側板１２２が底板１２１に対して起立する。すると、後側の第一側板１２２に連設された補助側板１２６・１２６は、底板１２１に対して起立する。そして、折目線１４２を谷折りすることで、第二側板１２３が底板１２１に対して起立する。さらに、補助側板１２６の下端にある係止片１２６ａが起立係止孔１４２ａへと挿入される。
【００７９】
そして、図１１に示す状態から図１２に示す状態となるように、折目線５４を山折りすることで補助側板１２６に連設された第一保持板７３が、第二側板１２３に連設された第二保持板２７１の第二係合部２７２へと挿通される。この際、凸片７６は、第一保持板７３によって押圧され、折目線７５を山折りして、第一保持板７３の挿入方向（箱本体１１２の外側）へと折り曲げられる。
【００８０】
第二係合部２７２へと挿通された第一保持板７３は、折り曲げられる前の状態へと戻ろうと箱本体１１２の中央側へ移動しても、凸片７６と接触してそれ以上移動できず、第二係合部２７２から脱落することがない。この第二係合部２７２と第一保持板７３の係合により、固着手段によって固着されていない第二側板１２３と補助側板１２６は、底板１２１に対して起立した状態が保持される。このように、底板１２１に対して三側板（後側の第一側板１２２、補助側板１２６・１２６、及び第二側板１２３・１２３）を安定した状態で起立させることができる。
【００８１】
次に、保冷体などの物品を収容するための収容部の組み立てを説明する。
【００８２】
先ず、図１２に示す状態から図１３Ａに示す状態となるように、折目線８８を谷折りすることで、係止部１８２が第二縁板８７に対して略垂直となるように折り曲げられる。そして、図１３Ａに示す状態から図１３Ｂに示す状態となるように、折目線８６を谷折りすることで、第二縁板８７が仕切部１８１に対して略垂直となるように折り曲げられる。そして、図１３Ｂに示す状態から図１４Ａに示す状態となるように、折目線１４３を谷折りすることで、第一縁板８４が第二側板１２３に対して略垂直となるように折り曲げられる。
【００８３】
図１４Ａに示す状態から図１４Ｂに示す状態となるように、折目線８５を谷折りすることで、仕切部１８１が第一縁板８４に対して略垂直となるように折り曲げられる。さらに、フラップ１１８の後側を持ち上げるようにして、係止部１８２の係止片１８２ａが補助側板１２６の係合部１２７よりも、上方に位置するようにする。そして、係止部１８２の係止片１８２ａは、補助側板１２６と第二側板１２３の間に挿入される。すると、係止部１８２の係止片１８２ａは、補助側板１２６にある係合部１２７と係合される。仕切部１８１は、第一縁板８４及び第二縁板８７の左右方向の長さ分だけ間隔をあけて、補助側板１２６及び第二側板１２３に対して略平行に配置される。この仕切部１８１と補助側板１２６及び第二側板１２３との間は、キャンドルや保冷体９０等の物品を収容する空間である補助収容部とされる。また、図１５に示すように、第二実施形態の補助収容部は、左右対称に設けられる。
【００８４】
この形成された補助収容部には、保冷体９０、キャンドル、ナフキン、ケーキカッター等の物品が収容される。そして、左右の仕切部１８１・１８１の間には、ケーキ等の物品を収容する（図示省略）。さらに、折目線１４１を谷折りすることで、前側の第一側板１２２は、底板１２１に対して起立され、図１６に示す状態となる。
【００８５】
次に、天部を組み立てる場合について説明する。
【００８６】
先ず、蓋板折目線１５１・１５１を谷折して、蓋板１３１・１３１が箱本体１１２の上部の開口部を覆うように折り曲げられ、さらに、把手板折目線１５２・１５２を山折りして、前後の把手板１６１・１６１の内面が互いに接触するように重ね合せる（図１７参照）。続いて、把手板１６１・１６１に下方の力を加えながら、折目線２５３・２５３を谷折りし、第二保持板２７１が把手板１６１側へと折り曲げられる。そして、第二保持板２７１に形成された第二係合部２７２へと第二係合片６４が挿入される。したがって、把手板１６１・１６１は、前後方向の移動を第二保持板２７１の第二係合部２７２と第二係合片６４の係合によって規制され、重ね合された状態を保持することができる。
【００８７】
さらに、折目線５４を谷折りし、第一保持板７３が把手板１６１側へと折り曲げられる。そして、第一保持板７３の第一係合部７４へと第一係合片６３が挿入されることで、第一係合片６３と第一係合部７４は係合する。
【００８８】
従って、図１７に示すように、把手板１６１・１６１は、前後方向の移動を第二保持板２７１の第二係合部２７２と第二係合片６４との係合に加え、第一保持板７３の第一係合部７４と第一係合片６３との係合によって規制され、蓋板１３１・１３１に対して起立した状態を安定的に保持することができる。
【００８９】
尚、第一保持板７３及び第二保持板２７１による把手板１６１・１６１の保持の手順は、上記の手順に限定するものではなく、第二係合部２７２と第二係合片６４とを係合させたのちに、第一係合部７４と第一係合片６３とを係合させてもよい。
【００９０】
第一実施形態と同様に、第二実施形態の包装用箱１１１は、フラップ１１８を前側の第一側板１２２の内側に配置することで、補助収容部を形成することなく使用することが可能である。
【００９１】
第一実施形態と第二実施形態の包装用箱１１・１１１は、ともに箱本体１２・１１２の上部の開口部を閉鎖するための天部が設けられているが、天部の代わりとして別途に蓋を形成して開口部を閉鎖するように構成してもよい。
【００９２】
本実施形態の包装用箱１１１は、前記仕切部１８１が、前記第二側板１２３と第一縁板８４を介して連設されるものである。
【００９３】
このように構成することで、第一縁板８４の幅分（左右方向の長さ分）だけ補助収容部の収容空間を大きく設けることができる。
【００９４】
前記係合部１２７は、前記仕切部１８１と第二縁板８７を介して連設されるものである。
【００９５】
このように構成することで、第二縁板８７の幅分（左右方向の長さ分）だけ補助収容部の収容空間を大きく設けることができる。
【００９６】
本実施形態の包装用箱１１１は、前記一対の第一側板１２２・１２２に連設され、前記開口部を閉鎖する一対の蓋板１３１・１３１と、当該各蓋板１３１・１３１に対して起立し、重ね合わされて把持部を形成する一対の把手板１６１と、前記第二側板１２３又は前記補助側板１２６に連設され、前記各把手板１６１・１６１の両端部を保持することで、前記蓋板１３１が前記開口部を閉鎖する状態を保持し、前記各把手板１６１・１６１の両端部の保持を解除することで、前記蓋板１３１・１３１の開封を可能な状態とする保持板と、で構成される天部を有し、前記保持板は、前記補助側板１２６・１２６に連設し前記各把手板１６１・１６１の両端部が係合及び離脱する第一係合部７４・７４を有する第一保持板７３・７３と、前記第二側板１２３・１２３に連設し前記各把手板１６１・１６１の両端部が係合及び離脱する第二係合部２７２・２７２を有する第二保持板２７１・２７１と、で形成され、前記第一保持板７３と前記第二保持板２７１が係合されるものである。
【００９７】
このように構成することで、第二側板１２３と補助側板１２６との固着作業が不要である。さらに、フラップ１１８に形成した係止部１８２と補助側板１２６に形成した係合部１２７を係止して補助収容部を形成した場合には、包装用箱全体の起立保持はより強固となる。
【００９８】
前記係合部１２７は、補助側板１２６の前記開口部側の近傍に配置されるものである。
【００９９】
このように構成することで、係合部１２７とフラップ１１８に形成した係止部１８２との係合作業が容易となる。
【符号の説明】
【０１００】
１１      包装用箱
１２      箱本体
１８      フラップ
２１      底板
２２      第一側板
２３      第二側板
２４      前フラップ
２５      補助側板
２５ａ    係止片
２６      補助側板
２６ａ    係止片
２７      係合部
３１      蓋板
３１ａ    蓋板片
３２      蓋板
４１      折目線
４２      折目線
４２ａ    起立係止孔
４３ａ    折目線
４３ｂ    折目線
４４      折目線
４５      折畳用折目線
４７      側板固定部
４８      側板固定部
４９      非固着領域
５１      蓋板折目線
５２      把手板折目線
５３      折目線
５４      折目線
６１      把手板
６２      係合片
６３      第一係合片
６４      第二係合片
７１      保持板
７２      係合部
７３      第一保持板
７４      第一係合部
７５      折目線
７６      凸片
８１      仕切部
８２      係止部
８２ａ    係止片
８３      通気孔
８４      第一縁板
８５      折目線
８６      折目線
８７      第二縁板
８８      折目線
８９      折目線
９０      保冷体
１１１    包装用箱
１１２    箱本体
１１８    フラップ
１２１    底板
１２２    第一側板
１２３    第二側板
１２６    補助側板
１２６ａ  係止片
１２７    係合部
１３１    蓋板
１３１ａ  蓋板片
１４１    折目線
１４２    折目線
１４２ａ  起立係止孔
１４３    折目線
１４４    折目線
１５１    蓋板折目線
１５２    把手板折目線
１６１    把手板
１８１    仕切部
１８２    係止部
１８２ａ  係止片
１８３    通気孔
２５３    折目線
２７１    第二保持板
２７２    第二係合部
【図１】
0003175973.tif 000003
【図２】
0003175973.tif 000004
【図３】
0003175973.tif 000005
【図４】
0003175973.tif 000006
【図５】
0003175973.tif 000007
【図６】
0003175973.tif 000008
【図７】
0003175973.tif 000009
【図８】
0003175973.tif 000010
【図９】
0003175973.tif 000011
【図１０】
0003175973.tif 000012
【図１１】
0003175973.tif 000013
【図１２】
0003175973.tif 000014
【図１３】
0003175973.tif 000015
【図１４】
0003175973.tif 000016
【図１５】
0003175973.tif 000017
【図１６】
0003175973.tif 000018
【図１７】
0003175973.tif 000019